【手続補正書】
【提出日】平成18年8月1日(2006.8.1)
【手続補正１】
【補正対象書類名】特許請求の範囲
【補正対象項目名】全文
【補正方法】変更
【補正の内容】
【特許請求の範囲】
【請求項１】
第１と第２の脊椎の間に配置するための椎間板であって、
第１の内表面および第１の外表面を有する第１の端板であって、第１の外表面は前記第１の脊椎と接触する第１の端板と、
第２の内表面および第２の外表面を有する第２の端板であって、第２の外表面は前記第２の脊椎と接触する第２の端板と、
前記第２の端板と係合するように構成された第１および第２の弾性端部を有すると共に長さを有した板ばねであって、第１および第２の表面を有する中心本体をさらに備え、該第１の表面が連節表面を備えた板ばねと、
を備える椎間板。
【請求項２】
前記第２の端板は、前記板ばねの長さより小さな長さを有するくぼみ部をさらに備え、前記板ばねは前記第１および第２の弾力性端部が前記端板の内表面上に支持されており、前記中心本体が前記端板のくぼみ部の上に位置決めされているように前記第２の端板と係合し、圧縮力が前記板ばねの第１の表面に加えられて、前記第２の表面が前記くぼみ部表面に接触できるようになると、前記中心本体の少なくとも一部が前記くぼみ部内に移動することができるようになっている、請求項１に記載の椎間板。
【請求項３】
前記くぼみ部はくぼみ部表面をさらに備え、前記板ばねの第２の表面および前記くぼみ部表面は、所定の圧縮力が前記板ばねの第１の表面に加えられると、前記板ばねの第２の表面は前記くぼみ部表面の少なくとも一部に接触するように、間に間隙を画定するように構成されている、請求項２に記載の椎間板。
【請求項４】
前記中心本体および前記くぼみ部は、前記板ばねが前記第２の端板に対して少なくとも一方向に平行移動することができるように構成されている、請求項２に記載の椎間板。
【請求項５】
前記第１の端板は、前記板ばねの連節表面に対応するように構成された連節表面をさらに有する、請求項１に記載の椎間板。
【請求項６】
前記連節表面は、前記板ばねが前記第１の端板に対して連節および平行移動できるように構成された、請求項５に記載の椎間板。
【請求項７】
前記第１と第２の端板の間に配置された膜をさらに備える、請求項１に記載の椎間板。
【請求項８】
前記上下端面間に配置され、少なくとも前記板ばねを囲繞した膜をさらに備える、請求項７に記載の椎間板。
【請求項９】
前記膜は前記第１および第２の端板を囲繞している、請求項７に記載の椎間板。
【請求項１０】
前記膜はエラストマー材料から形成されている、請求項７に記載の椎間板。
【請求項１１】
前記膜は蛇腹を備える、請求項７に記載の椎間板。
【請求項１２】
前記端板および膜は、少なくとも一部が流体で充填された内部容量を画定する、請求項７に記載の椎間板。
【請求項１３】
前記容量を前記流体で少なくとも部分的に充填する前記容量に連通する弁をさらに備える、請求項１２に記載の椎間板。
【請求項１４】
前記流体は圧縮不可能である、請求項１２に記載の椎間板。
【請求項１５】
前記端板の少なくとも１つは、金属、ポリマー、セラミック、および複合材料からなる群から選択した材料から形成されている、請求項１に記載の椎間板。
【請求項１６】
前記端板の少なくとも１つは、皮質、海綿質、同種移植片、自家移植片、異種移植片、脱塩化または部分的に脱塩化した骨からなる群から選択した骨材料から形成されている、請求項１に記載の椎間板。
【請求項１７】
前記第１および第２の外表面の少なくとも１つに配置された移動抵抗構造をさらに備える、請求項１に記載の椎間板。
【請求項１８】
前記第１および第２の外表面の少なくとも１つに配置された永久固定手段をさらに備える、請求項１に記載の椎間板。
【請求項１９】
前記第１および第２の内または外表面の少なくとも１つに配置された、移植機器の取付け、案内、または維持のための構造をさらに備える、請求項１に記載の椎間板。
【請求項２０】
第１と第２の脊椎の間に配置するための椎間板において、
第１の内表面および第１の外表面を有する第１の端板であって、該第１の外表面が前記第１の脊椎と接触するように構成された第１の端板と、
第２の内表面および第２の外表面を有する第２の端板であって、該第２の外表面が前記第２の脊椎と接触するように構成された第２の端板と、
前記第１の端板に結合する第１の表面を有する第１の連節部材と、
少なくとも前記第２の端板に結合する第１の表面、および前記第１の連節部材の第２の表面に結合した第２の表面を有する板ばねと、を備える椎間板であって、
前記第１の連節部材は前記第１および第２の端板が互いに対して連節できるように構成されており、前記板ばねは前記端板が前記端板の少なくとも１つに加えられる圧縮力に応じて互いに接近することができるように構成されている椎間板。
【請求項２１】
前記第１の端板の内表面および前記第１の連節部材の第１の表面のいずれか一方は凹状表面を備え、もう一方の表面は凸形状をしており、前記表面は前記連節部材が前記第１の端板に対して連節できるように構成されている、請求項２０に記載の椎間板。
【請求項２２】
前記第１の端板の内表面は凹形状をしており、前記第１の連節部材は対応する凸形状をしている、請求項２０に記載の椎間板。
【請求項２３】
前記第１の端板の内表面に結合した第１の表面、および前記第１の連節部材の第１の表面に結合した第２の表面を有する第２の連節部材をさらに備える、請求項２０に記載の椎間板。
【請求項２４】
前記第２の連節部材の第２の表面は凹形状をしており、前記第１の連節部材の凸状の第１の表面に対応するように構成されている、請求項２３に記載の椎間板。
【請求項２５】
前記凹凸状表面は、前記連節部材間の連節および平行移動の両方を可能にするように構成されている、請求項２４に記載の椎間板。
【請求項２６】
前記連節部材の少なくとも１つは、前記第１または第２の端板の一方の材料とは異なる材料を備える、請求項２３に記載の椎間板。
【請求項２７】
前記第１の端板の内表面および前記連節部材の第１の表面は、前記連節部材が前記第１の端板に対して平行移動できるようにさらに構成された、請求項２０に記載の椎間板。
【請求項２８】
前記第２の端板は前記第２の内表面内にくぼみ部をさらに備え、前記板ばねは少なくとも前記板ばねの両端部が前記内表面によって支持され、前記板ばねの中心部分は、前記くぼみ部の上に位置決めされているように、前記くぼみ部にかかるのに十分な長さをしており、前記中心部分は圧縮力が前記板ばねの第２の表面に加えられると、前記くぼみ部内に移動することができる、請求項２０に記載の椎間板。
【請求項２９】
前記第２の端板は、前記板ばねが少なくとも一方向に前記第２の端板に対して平行移動することができるような大きさおよび形状をしている周縁部をさらに備える、請求項２８に記載の椎間板。
【請求項３０】
前記第２の端板はさらに、前記板ばねが少なくとももう一方の方向に平行移動するのを防ぐような大きさおよび形状をしている周縁部をさらに備える、請求項２８に記載の椎間板。
【請求項３１】
前記板ばねの第２の表面は、前記連節部材の第２の表面に形成された突起を受け入れるように構成されたくぼみ部をさらに備える、請求項２７に記載の椎間板。
【請求項３２】
前記くぼみ部および突起は、前記連節部材が前記板ばねに対して少なくとも一方向に平行移動することができるような大きさおよび形状をしている、請求項３１に記載の椎間板。
【請求項３３】
前記第２の端板の少なくとも一部と係合し、前記板ばねが前記第２の端板から軸方向に係脱しないようにするため前記板ばねの少なくとも一部を覆うように構成されたキャップ部材をさらに備える、請求項２９に記載の椎間板。
【請求項３４】
前記キャップ部材は、少なくとも一方向への前記端板間の連節を制限するように、前記第１の端板に結合する少なくとも１つの隆起部と接触するように構成された少なくとも１つの隆起部をさらに備える、請求項２８に記載の椎間板。
【請求項３５】
前記隆起部は、対応する平坦な表面輪郭を有する、請求項３４に記載の椎間板。
【請求項３６】
前記隆起部は、対応するように角度付けされた表面を有する、請求項３４に記載の椎間板。
【請求項３７】
前記端板の少なくとも１つは、金属、ポリマー、セラミック、および複合材料からなる群から選択した材料から形成されている、請求項２０に記載の椎間板。
【請求項３８】
前記端板の少なくとも１つは、皮質、海綿質、同種移植片、自家移植片、異種移植片、脱塩化または部分的に脱塩化した骨からなる群から選択した骨材料から形成されている、請求２０に記載の椎間板。
【請求項３９】
前記第１および第２の外表面の少なくとも１つに配置された移動抵抗構造をさらに備える、請求項２０に記載の椎間板。
【請求項４０】
前記第１および第２の外表面のいずれか１つに配置された永久固定手段をさらに備える、請求項２０に記載の椎間板。
【請求項４１】
前記第１および第２の内または外表面の少なくとも１つに配置された、移植機器の取付け、案内、または維持のための構造をさらに備える、請求項２０に記載の椎間板。
【手続補正２】
【補正対象書類名】図面
【補正対象項目名】全図
【補正方法】変更
【補正の内容】
【図１】
2006514559.tif 000001
【図２】
2006514559.tif 000002
【図２ａ】
2006514559.tif 000003
【図２ｂ】
2006514559.tif 000004
【図２ｃ】
2006514559.tif 000005
【図３】
2006514559.tif 000006
【図４】
2006514559.tif 000007
【図４ａ】
2006514559.tif 000008
【図５】
2006514559.tif 000009
【図６】
2006514559.tif 000010
【図７】
2006514559.tif 000011
【図８】
2006514559.tif 000012
【図９】
2006514559.tif 000013
【図９ａ】
2006514559.tif 000014
【図９ｂ】
2006514559.tif 000015
【図９ｃ】
2006514559.tif 000016
【図１０】
2006514559.tif 000017